(57)【要約】  座席（１）が、閉ループ状のシートフレーム（１４、１５）と、シートフレーム（１４、１５）に固定されてシートフレーム（１４、１５）の閉ループ状の部分を覆うネット（４、５）とを備える。シートフレーム（１４、１５）は、シートフレーム（１４、１５）がネット（４、５）の着座面を第１の伸張状態で支持する第１の位置から、シートフレーム（１４、１５）が第１の伸張状態よりもネット（４、５）の着座面が伸張した第２の伸張状態で支持する第２の位置まで伸縮可能である。
2015045143.tif 000002
【特許請求の範囲】
【請求項１】
閉ループ状のシートフレームと、
前記シートフレームに固定され、前記シートフレームの閉ループ状の部分を覆うネットと、を備え、
前記シートフレームは、前記シートフレームが前記ネットの前記着座面を第１の伸張状態で支持する第１の位置から、前記シートフレームが前記第１の伸張状態よりも前記ネットの前記着座面が伸張した第２の伸張状態で支持する第２の位置まで伸縮可能である
座席。
【請求項２】
前記シートフレームは、
固定フレームと、
前記固定フレームに対してスライド移動可能な可動フレームと、を備え、
前記ネットは、前記可動フレームに固定され、前記可動フレームのスライド移動により伸縮可能である
請求項１記載の座席。
【請求項３】
前記シートフレームは、
固定フレームと、
前記固定フレームに対してスライド移動可能な可動フレームと、
前記可動フレームに固定され、前記可動フレームと共にスライド移動する係止ワイヤと、を備え、
前記ネットは、前記可動フレームに接して前記係止ワイヤに固定され、前記可動フレームのスライド移動により伸縮可能である
請求項１記載の座席。
【請求項４】
前記可動フレームは、治具により移動可能である
請求項２又は３記載の座席。
【請求項５】
前記可動フレームは、ジャッキにより移動可能である
請求項２又は３記載の座席。
【発明の詳細な説明】
【技術分野】
【０００１】
本発明は、シートフレームに張設されたネットにより着座者の荷重を弾性的に支持可能な座席に関する。
【背景技術】
【０００２】
シートフレームに張設されたネットにより着座者の荷重を弾性的に支持可能な座席が、特許文献１に提案されている。この座席は、ネットの周縁に係合部材を備える。この係合部材がシートフレームに形成された溝部に挿入されることで、ネットがシートフレームに緊張状態で取り付けられる。このネットの取付構造では、係合部材を溝部の開口縁部を支点として回動させながら挿入可能である。また、ネットが取り付けられた状態ではネットの張力により係合部材には溝部内で回転しようとする回転力が作用する。溝部は、前記回転力による係合部材の回転軌道に干渉する形状を有し、前記回転力による係合部材の回転が許容されないようになっている。
【先行技術文献】
【特許文献】
【０００３】
【特許文献１】特開２０１０−０８８７７５号公報
【発明の概要】
【０００４】
このような関連技術にあっては、係合部材を溝部の開口縁部を支点として回動させながら挿入するには、ネットを伸張するだけの多大な腕力を必要とし難作業となる。また、挿入部でネットに張力を掛けても、溝部の外側とネットの当接部に生じる摩擦力で背もたれ面に張力が伝わらず、快適に着座する為の高張力が得られない。
【０００５】
本発明は、着座者が快適な座り心地が得られる高張力を製造時にネットに付与することができる座席を提供することを目的とする。
【０００６】
本発明の実施形態に係る座席は、閉ループ状のシートフレームと、前記シートフレームに固定され、前記シートフレームの閉ループ状の部分を覆うネットとを備える。ここで、前記シートフレームは、前記シートフレームが前記ネットの前記着座面を第１の伸張状態で支持する第１の位置から、前記シートフレームが前記第１の伸張状態よりも前記ネットの前記着座面が伸張した第２の伸張状態で支持する第２の位置まで伸縮可能である。
【０００７】
上記構成によれば、ネットをシートフレームに設けただけなので、ネットを伸張するだけの腕力を必要とせず、作業者が限定されない。また、ネットをシートフレームに取り付け後、シートフレームをネットが伸張する位置に移動させるだけなので、摩擦力に影響されず高張力を得られる。
【０００８】
また、前記シートフレームは、固定フレームと、前記固定フレームに対してスライド移動可能な可動フレームとを備え、前記ネットは、前記可動フレームに固定され、前記可動フレームのスライド移動により伸縮可能であってもよい。
【０００９】
上記構成によれば、ネットが可動フレームに固定され、可動フレームが固定フレームに対してスライド移動可能である。このため、ネットが伸びていない非伸張状態又は低伸張状態からネットが張る状態（高伸張状態）まで可動フレームをスライドさせるだけで座席の製造が簡易にできる。
【００１０】
また、前記シートフレームは、固定フレームと、前記固定フレームに対してスライド移動可能な可動フレームと、前記可動フレームに固定され、前記可動フレームと共にスライド移動する係止ワイヤと、を備え、前記ネットは、前記可動フレームに接して前記係止ワイヤに固定され、前記可動フレームのスライド移動により伸縮可能であってもよい。
【００１１】
上記構成によれば、係止ワイヤに固定されたネットが可動フレームに接し、可動フレームが固定フレームに対してスライド移動可能である。このため、ネットが伸びていない非伸張状態又は低伸張状態からネットが張る状態（高伸張状態）まで可動フレームをスライドさせるだけで座席の製造が簡易にできる。
【００１２】
また、前記可動フレームは、治具により移動可能であってもよい。
【００１３】
上記構成によれば、可動フレームが、治具でスライド可能であるので、可動フレーム外周とネットとの間の摩擦力に影響されず高張力を得られる。
【００１４】
また、前記可動フレームは、ジャッキにより移動可能であってもよい。
【００１５】
上記構成によれば、可動フレームが、ジャッキでスライド可能であるので、可動フレーム外周とネットとの間の摩擦力に影響されず高張力を得られる。
【図面の簡単な説明】
【００１６】
【図１】図１は、本発明の一実施形態に係る座席を前側から示す斜視図である。
【図２】図２は、図１の座席を後側から示す斜視図である。
【図３】図３は、図１の座席の骨格を示す図１同様の斜視図である。
【図４】図４は、図３のＩＶ−ＩＶ線に沿って示す断面図である。
【図５】図５は、図３の座席のフレーム移動時の説明図である。
【発明を実施するための形態】
【００１７】
着座者が快適な座り心地が得られる高張力を製造時にネットに付与することができる座席を提供する、という目的を、以下の構成により実現した。すなわち、座席が、閉ループ状のシートフレームと、前記シートフレームに固定され、前記シートフレームの閉ループ状の部分を覆うネットとを備える。ここで、前記シートフレームは、前記シートフレームが前記ネットの前記着座面を第１の伸張状態で支持する第１の位置から、前記シートフレームが前記第１の伸張状態よりも前記ネットの前記着座面が伸張した第２の伸張状態で支持する第２の位置まで伸縮可能である。
【００１８】
以下、本発明の実施形態を図面を参照して具体的に説明する。
【００１９】
図１に示すように、本発明の一実施形態に係る座席１は、シートクッション２と、シートバック３とを備える。シートクッション２は、閉ループ状のシートクッションフレーム（シートフレーム）１４と、シートクッションフレーム１４を覆った状態で縁部が後述の係止ワイヤ１４ｃに固定されるネット４とを備える。シートバック３は、閉ループ状のシートバックフレーム（シートフレーム）１５と、シートバックフレーム１５を覆った状態で縁部が後述の係止ワイヤ１５ｃに固定されるネット５とを備える。シートクッションフレーム１４及びシートバックフレーム１５のそれぞれには、空間１０、１１が形成されている。ネット４及び５はそれぞれ、空間（閉ループ状の部分）１０、１１を覆うように設けられている。ネット４及び５は、例えば熱可塑性ポリエステルエラストマーよりなる合成樹脂繊維を所定のパターンに織った弾力性のある部材であり、着座者の体重を適度に分散させる特性を有する。ネット４及び５は、所定のパターンに織られているので、通気性を備え、着座者の体温をこもらせず接触部分をひんやりと快適に保持可能である。また、シートバック３の上部には、ヘッドレスト６が設けられている。
【００２０】
シートクッションフレーム１４は、Ｌ字状（但し、直角に限定されない）に曲折された例えば直径２５．４ミリメートルで板厚１．６ミリメートルの中空パイプ状の可動フレーム１４ａと、可動フレーム１４ａの一端部１４ａａ及び他端部１４ａｂの間にスライド自在に挿入された固定フレーム１４ｂとよりなる閉ループ状に形成されている。可動フレーム１４ａの一端部１４ａａのみと固定フレーム１４ｂとは、溶接Ｗにより固定されている。固定フレーム１４ｂに対して可動フレーム１４ａがスライド移動可能となっている。また、シートクッションフレーム１４は、可動フレーム１４ａに固定された係止ワイヤ１４ｃを備える。係止ワイヤ１４ｃは、固定フレーム１４ｂに対応する位置に切り欠き部１４ｄを有し、可動フレーム１４ａのスライド移動に伴って可動フレーム１４ａと一体で移動するようになっている。ネット４は、その縁部付近が可動フレーム１４ａに接した状態で、その縁部が係止ワイヤ１４ｃに固定される。シートクッションフレーム１４は、図示しない床に脚部９により保持されている。脚部９は、スライド装置９ａと、スライド装置９ａの図示しないロックを解除する操作部９ｂとを備える。
【００２１】
シートバックフレーム１５は、左右に二つ割りの例えば直径２５．４ミリメートルで板厚１．６ミリメートルの中空パイプ状の可動フレーム１５ａと、可動フレーム１５ａの一端部１５ａａ及び他端部１５ａｂの間にスライド自在に挿入された固定フレーム１５ｂとよりなる閉ループ状に形成されている。可動フレーム１５ａの一端部１５ａａのみと固定フレーム１５ｂとは、溶接Ｗにより固定されている。固定フレーム１５ｂに対して可動フレーム１５ａがスライド移動可能となっている。また、シートクッションフレーム１５は、可動フレーム１５ａに固定された係止ワイヤ１５ｃを備える。係止ワイヤ１５ｃは、固定フレーム１５ｂに対応する位置に切り欠き部１５ｄを有し、可動フレーム１５ａのスライド移動に伴って可動フレーム１５ａと一体で移動するようになっている。ネット５は、その縁部付近が可動フレーム１５ａに接した状態で、その縁部が係止ワイヤ１５ｃに固定される。
【００２２】
シートクッションフレーム１４及びシートバックフレーム１５は、シートクッションフレーム１４及びシートバックフレーム１５の一端部１４ａａ、１５ａａと他端部１４ａｂ、１５ａｂとを直にぶつけた状態（第１の位置）から、シートクッションフレーム１４及びシートバックフレーム１５の一端部１４ａａ、１５ａａと他端部１４ａｂ、１５ａｂとがぶつかった状態から寸法Ａ分だけ離れた状態（第２の位置）まで伸縮可能である。この第１の位置にあるシートクッションフレーム１４及びシートバックフレーム１５を、ジャッキ等の治具１２を動かすことで、第２の位置まで伸ばすことができる。製造時（修理時等も含む）において、第１の位置で、ネット４、５を非伸張（弛緩）又は低伸張状態（或いは、ネット４、５の着座面を非伸張又は低伸張状態）でシートクッションフレーム１４（可動フレーム１４ａ）及びシートバックフレーム１５（可動フレーム１５ａ）に載置して固定する。ここで、ネット４、５は、その縁部が可動フレーム１４ａ、１５ａに固定された係止ワイヤ１４ｃ、１５ｃに固定されて縁部の移動が制限されている。このネット４、５の状態を非伸張状態（第１の伸張状態）という。この非伸張状態で、シートクッションフレーム１４及びシートバックフレーム１５を第２の位置まで伸ばすと、非伸張状態にあったネット４、５が高伸張状態に伸張されて、クッション性を有するようになる。このネットの状態を伸張状態（第２の伸張状態）という。
【００２３】
上記構成によれば、固定フレーム１４ｂ、１５ｂに対して可動フレーム１４ａ、１５ａがスライド可能であるので、ネット４、５が伸びていない非伸張状態から張った伸張状態まで可動フレーム１４ａ、１５ａをスライドさせるだけで座席１の製造が簡易にできる。
【００２４】
また、可動フレーム１４ａ、１５ａは、ジャッキなどの治具１２により移動可能であっても良い。
【００２５】
この場合、可動フレーム１４ａ、１５ａが、ジャッキなどの治具１２でスライド可能であるので、ネット４、５に摩擦力は加わらず、ネット４、５が切れるおそれがない。
【００２６】
本実施形態では、ネット４、５をシートフレーム１４、１５の係止ワイヤ１４ｃ、１５ｃに固定する構成としたが、本発明はこれに限定されない。例えば、ネット４、５をシートフレーム１４、１５の可動フレーム１４ａ、１５ａに直接固定してもよい。この場合、係止ワイヤ１４ｃ、１５ｃは設けなくてもよい。
【００２７】
以上、本発明の実施形態について説明したが、本発明は上記実施形態には限定されず、種々の変形が可能である。乗り物として自動車の例を持って説明したが、これに限らず、航空機、船舶、車両、家庭、劇場などの座席でも良い。
【図１】
2015045143.tif 000003
【図２】
2015045143.tif 000004
【図３】
2015045143.tif 000005
【図４】
2015045143.tif 000006
【図５】
2015045143.tif 000007
【手続補正書】
【提出日】平成28年12月22日(2016.12.22)
【手続補正１】
【補正対象書類名】明細書
【補正対象項目名】０００６
【補正方法】変更
【補正の内容】
【０００６】
本発明の実施形態に係る座席は、閉ループ状のシートフレームと、前記シートフレームに固定され、前記シートフレームの閉ループ状の部分を覆うネットと、を備える。ここで、前記シートフレームは、固定フレームと、前記ネットが固定され前記固定フレームに対してスライド移動可能な可動フレームと、を備えると共に、前記可動フレームのスライド移動により、前記ネットの着座面を第１の伸張状態で支持する第１の位置から前記第１の伸張状態よりも前記ネットの前記着座面が伸張した第２の伸張状態で支持する第２の位置まで伸縮可能である。
【手続補正２】
【補正対象書類名】明細書
【補正対象項目名】０００８
【補正方法】削除
【補正の内容】
【手続補正３】
【補正対象書類名】明細書
【補正対象項目名】００１０
【補正方法】変更
【補正の内容】
【００１０】
また、本発明の実施形態に係る座席は、閉ループ状のシートフレームと、前記シートフレームに固定され、前記シートフレームの閉ループ状の部分を覆うネットと、を備え、前記シートフレームは、固定フレームと、前記固定フレームに対してスライド移動可能な可動フレームと、前記可動フレームに固定され、前記可動フレームと共にスライド移動する係止ワイヤと、を備え、前記ネットは、前記可動フレームに接して前記係止ワイヤに固定され、前記可動フレームのスライド移動により伸縮可能である。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１７
【補正方法】変更
【補正の内容】
【００１７】
着座者が快適な座り心地が得られる高張力を製造時にネットに付与することができる座席を提供する、という目的を、以下の構成により実現した。すなわち、座席が、閉ループ状のシートフレームと、前記シートフレームに固定され、前記シートフレームの閉ループ状の部分を覆うネットと、を備える。ここで、前記シートフレームは、固定フレームと、前記ネットが固定され前記固定フレームに対してスライド移動可能な可動フレームと、を備えると共に、前記可動フレームのスライド移動により、前記ネットの着座面を第１の伸張状態で支持する第１の位置から前記第１の伸張状態よりも前記ネットの前記着座面が伸張した第２の伸張状態で支持する第２の位置まで伸縮可能である。
【手続補正７】
【補正対象書類名】特許請求の範囲
【補正対象項目名】全文
【補正方法】変更
【補正の内容】
【特許請求の範囲】
【請求項１】
閉ループ状のシートフレームと、
前記シートフレームに固定され、前記シートフレームの閉ループ状の部分を覆うネットと、を備え、
前記シートフレームは、
固定フレームと、前記ネットが固定され前記固定フレームに対してスライド移動可能な可動フレームと、を備えると共に、
前記可動フレームのスライド移動により、前記ネットの着座面を第１の伸張状態で支持する第１の位置から前記第１の伸張状態よりも前記ネットの前記着座面が伸張した第２の伸張状態で支持する第２の位置まで伸縮可能である座席。
【請求項２】
閉ループ状のシートフレームと、
前記シートフレームに固定され、前記シートフレームの閉ループ状の部分を覆うネットと、を備え、
前記シートフレームは、
固定フレームと、前記固定フレームに対してスライド移動可能な可動フレームと、前記可動フレームに固定され、前記可動フレームと共にスライド移動する係止ワイヤと、を備え、
前記ネットは、前記可動フレームに接して前記係止ワイヤに固定され、前記可動フレームのスライド移動により伸縮可能である座席。
【請求項３】
前記可動フレームは、ジャッキにより移動可能である請求項１又は２記載の座席。
【国際調査報告】
2015045143.tif 000008
2015045143.tif 000009
2015045143.tif 000010
2015045143.tif 000011